Podtech/llm-jp-corpus-v4-ja_patent huggingface dataset:
(57)【要約】【課題】従来のノーズピースでは反発力が強く、装着してから顔の形に成形しようとしても部分的に  強く折り曲げることになるか、曲げが浅くなり顔の微妙な凹凸に対応できず隙間が出来ることが多かった。  また顔に装着前に手でフィットするように形を整えようとしても鋭角に折れてしまいやすく微妙な  顔のラインを作るのに時間がかかり隙間のない正しい装着が困難であった。【解決手段】ノーズピースを波型に成形することにより、簡単に曲がる部分が増えマスク装着後に手で押さえた時に自然とノーズピースが装着部に対し曲がるようになった。微少な力で形を整えることが出来るようになり、短時間の装着が可能となり顔とマスクの隙間を少なくすることが容易になった。【選択図】図４
2014200316.tif 000002
【特許請求の範囲】
【請求項１】
ノーズピースを波型に成形し装着部分へのフィット性を向上する。
【請求項２】
従来販売されている商品のノーズピースを波型に成形する器具。
【発明の詳細な説明】
【技術分野】
【０００１】
この発明は、マスク（使い捨てマスク）に使用するノーズピースの形状に関する。
【背景技術】
【０００２】
従来のマスク（使い捨てマスク）に使用されているノーズピースは直線的に裁断された
樹脂や金属を使用した物で構成されている
【０００３】
しかしながら従来の直線的なノーズピースでは顔の微妙な凹凸や丸みのある
カーブに対する追従性が悪く、装着前や後に顔に沿うように曲げることが難
しく鼻の横など、顔の窪み部分に隙間が出来やすいという欠点があった。
上記を解決する物としてスポンジ等のクッション材を用いて隙間を埋めるもの
や立体型の高機能マスクを使用するしか方法が無かった。
【先行技術文献】
【特許文献】
【０００４】
【特許文献１】特開２００６−３０５２７９号公報
【特許文献２】特開２０１２−８５７２８号公報
【発明の概要】
【発明が解決しようとする課題】
【０００５】
しかしながら従来の技術では装着前にノーズピースを折り曲げ装着する部分に近い形
に装着する者が曲げておくか、その他のクッション材等を貼り付けておき隙間を埋めるしか方法が無く装着が難しい、若しくはその他のパーツを必要とし生産時の大幅なコストアップが必要になった。
そこで、この発明は、より容易かつ微少な力で装着される部分に対する形状にノーズピースを変形保持させる事を目的としている。
【課題を解決するための手段】
【０００６】
以上の課題を解決するために、第一発明は、生産時にノーズピースを波型に成型する
ことを特徴とする。
また、第二発明は、従来販売されている商品のノーズピースを波型に加工すること
を特徴とする。
【発明の効果】
【０００７】
装着前に波型状に成型したノーズピースは曲げる際に一点にかかりやすかった力を
分散することが出来、鋭角になりやすかった従来のノーズピースよりも緩やかな曲
線や鋭い凹凸の変化にも追従しやすくなった為、装着後の隙間を少なくすることが
できた。
【０００８】
したがって、少ない力で変形させることが出来るので、簡単に正しく装着ができる。
【０００９】
前記により自分での装着はもちろん子供など自分では装着が困難な介助を必要とする人への装着する際にも簡単に装着できる。
【図面の簡単な説明】
【００１０】
【図１】マスクに対する視点方向を示す斜視図である。
【図２】ノーズピースの部分を示すマスクの平面図である。
【図３】従来型ノーズピースの形状、装着イメージ図である。
【図４】本発明ノーズピースの形状、装着イメージ図である。
【発明を実施するための形態】
【００１１】
この発明の形状の視点方向を図1、図2に示す。
図３にて説明するように従来型の直線的なノーズピースでは沿うように押えても一点が    鋭角に曲がったり、反発力が発生しやすく隙間が出来やすい。
【００１２】
「実施形態の効果」
この実施形態によれば、曲がる為の可動部分を複数折り曲げ波型に成形することにより
凹凸に対しての追従性を上げることを可能にしている。
また従来販売されている製品に対しても加工することが可能であり、小コストでありながら製品の性能向上が可能である。
【産業上の利用可能性】
【００１３】
本製品はマスクを製造販売する産業で利用される。
【符号の説明】
【００１４】
１−１  マスク本体                      ２−１  ノーズピース
３−１  従来型ノーズピース              ３−２  隙間の出来やすい部分
３−３  力が集中し鋭角に曲がりやすい    ３−４  押えても反発力によって
戻ってしまいやすい
４−１  この度申請するノーズピース      ４−２  波型に成形している為、自然と  
曲がる部分が増え顔の凹凸に対し
追従しやすい
５−１  顔の形状を示すライン
ａ  視点方向
ｂ  視点方向
ａ−１  従来型のノーズピースをａ方向から見た形状
ａ−２  この度申請するノーズピースをａ方向から見た形状
ｂ−１  従来型のノーズピースをｂ方向から見た形状
ｂ−２  この度申請するノーズピースをｂ方向から見た形状
【図２】
2014200316.tif 000003
【図１】
2014200316.tif 000004
【図３】
2014200316.tif 000005
【図４】
2014200316.tif 000006
(57)【要約】【課題】本物の花から作るアクセサリーパーツに合うように加工する方法と質感と強度。生花からドライフラワーにした花とプリザーブドフラワーを加工する場合、脱色や色落ち、本物の花からアクセサリーパーツに合う水性樹脂の加工。【解決手段】様々な水性樹脂を使って加工する方法で本物の花の繊細な形を保つ方法。水性樹脂に水性樹脂を重ねて塗って加工する方法と水性樹脂と油性樹脂を混合して使い加工する方法。花びらの高さを抑える事や花びらをばらばらにしてから組み立てる方法。【選択図】図３
2014030996.tif 000002
【特許請求の範囲】
【請求項１】
この発明は本物の花から作るアクセサリーパーツに加工する方法で、花の高さと形を変えて新たに綺麗な花を作り出す事。また水性樹脂だけを使い加工する方法と、水性樹脂と油性樹脂の両方を使い加工する方法に様々な質感と強度を作り出すこと。
【請求項２】
生花からドライフラワーにした花とプリザーブドフラワーをアクセサリーパーツに合う花の高さと花の形作り。
【請求項３】
生花からドライフラワーにした花とプリザーブドフラワーに、水性樹脂を重ねて塗り用途に合った強度と質感を出せる。また異なる水性樹脂を使う事により様々な質感と強度を出せる。さらに、カラーの水性樹脂を使い新たな色を出すことが出来る。
【請求項４】
水性樹脂加工と、水性樹脂と油性樹脂の両方で加工する事により花の質感と強度の表現（ツヤあり、ツヤなし）が出来る図と写真
【発明の詳細な説明】
【技術分野】
【０００１】本発明はフラワーアクセサリーパーツ、インテリア等に使用するものです。
【背景技術】
【０００２】１．  主にバラを使ってアクセサリーパーツに加工する場合は、花の高さがアクセサリーとしては使いにくかった。花の本来の形を保ったままの加工は難しいが高さを変えたり、花の形を変える加工方法が出来て、アクセサリーデザインの世界が広がります。
２．  従来の樹脂を使ったアクセサリパーツは油性樹脂であるが、水性樹脂を重ねて塗って加工する方法で、匂いがなく室内で安全に加工することが出来る。さらに水性樹脂と油性樹脂を両方使って加工する方法により異なる質感はもちろん強度も出せる。
３．  水性樹脂に色を加えることによりドライフラワーとプリザーブドフラワーを本来の色をよみがえらせる。【０００３】以下、図１．２．３．により説明する。
【特許文献１】１，生花からドライフラワーにした花とプリザーブドフラワーを花の高さと形を変えて新たに綺麗な花を作る方法と水性樹脂と水性樹脂を重ねて塗って加工する方法。水性樹脂と性油樹脂を両方使い加工する方法。これらにより花に様々な質感と強度をうみ出す方法です。
【発明の開示】
【発明が解決しようとする課題】
【０００４】生花からドライフラワーにした花とプリザーブドフラワーを樹脂で加工しても、本物の花の繊細な形を保つようにする方法。水性樹脂と水性樹脂を重ねて塗って加工する方法。水性樹脂と油性樹脂を両方使い加工する方法。花の質感と強度を高める方法。
【課題を解決するための手段】
【０００５】（１）生花からドライフラワーにした花とプリザーブドフラワーを花本来の形を保ち表現すること
（２）水性樹脂だけでも作れるが水性樹脂、油性樹脂を料使うことで品質の高い花を作ること
（３）室内で短時間で手軽に作れる。
【発明の効果】
【０００６】（１）庭にある花を加工しアクセサリーにパーツに使うことが出来る。
（２）庭にある花とプリザーブドフラワーを安全な水性樹脂を使い室内で加工できる
（３）生花からドライフラワーにした花とプリザーブドフラワーを水性樹脂、油性樹脂の両方で加工しでアクセサリーパーツ、インテリア、アレンジメント等の素材として使うことが出来る。
【発明を実施するための最良の形態】
【０００７】以下、図１．２．３．４に基づいて説明する。
【産業上の利用可能性】
【０００８】アクセサリーパーツ、インテリア、アレンジメント等の素材として使用が可能。
【図面の簡単な説明】
【０００９】
【図１】筆とスプレーを使い花を加工する図
【図２】生花からドライフラワーにした花とプリザーブドフラワーを質感と強度の表現（ツヤあり、ツヤなし）が出来る図と写真
【図３】花の高さと形を変えて新たに綺麗な花を作る方法とアクセサリーパーツに合うように加工した様々な花の形図
【図４】アクセサリーの実用例
【図１】
2014030996.tif 000003
【図２】
2014030996.tif 000004
【図３】
2014030996.tif 000005
【図４】
2014030996.tif 000006
(57)【要約】【課題】  本発明は、魚釣り用餌入れ箱に於いて夜間に於ける使用時に内部を視認できないことで、外部からの照射により集魚ポイントに向けて明かりを嫌う魚を散らしたり、、或いは明かりに頼ることなく指先の感触のみでの餌付けを余儀なくされていたという問題があった。【解決手段】  本発明は上記目的を達成するために、餌入れ箱内部仕切り付上部独立開閉型釣り餌入れ箱の本体内部の仕切板上部に、突出したケミ型発光体の嵌装部を形成し、発光体としてのケミ型発光体を嵌め込む構造としたことで、ケミ型発光体の埋没を防ぐ事で視認するに充分な光量を確保できる餌入れ箱である。【選択図】図１
2014030415.tif 000002
【特許請求の範囲】
【請求項１】
本発明は内部仕切り付上部独立開閉型釣餌入れ箱の本体内部の仕切板上部に、突出したケミ型発光体の嵌装部を形成し、発光体としてのケミ型発光体を嵌め込む構造とした釣餌入れ箱。
【発明の詳細な説明】
【技術分野】
【０００１】  本発明は釣りに於ける餌入れ箱で、ケミ型発光体を内部に形成した嵌装部に嵌め込む事を付加した釣餌入れ箱に関する。
【背景技術】
【０００２】  従来の釣餌入れ箱は、釣餌の種類により材料、大きさ及び形態に種類があるものの、夜間における付け餌の視認方法は、発光体を釣餌と一緒に入れる方法をとることで対応していた。
【発明の開示】
【発明が解決しようとする課題】
【０００３】  以上に述べた従来の釣り用餌入れ箱に於いて、夜間に於ける使用時に内部を目視できないことで、外部からの照射による確認を強いられそれが水中の釣れるポイントに向いて明かりを嫌う魚を散らしたり、また発光体を餌箱に釣り餌と一緒に投入しておく場合に於いても、発光体自体の埋没により効果が発揮できなかったり薄れたりする場合が多々あり、或いは明かりに頼ることなく指先の感触のみでの餌付けを余儀なくされていたという問題があった。【０００４】  夜間に於ける餌付けを、新たな照射を必要としないことで不必要な照射で魚を散らす心配を殆ど考慮しなくて済む状態の中で行なうことが出来る釣用餌入れ箱である。
【課題を解決するための手段】
【０００５】  本発明は上記目的を達成するために、餌入れ箱内部仕切り付上部独立開閉型釣り餌入れ箱の本体内部の仕切板上部に、突出したケミ型発光体の嵌装部を形成し、発光体としてのケミ型発光体を嵌め込む構造としたことで、ケミ型発光体の埋没を防ぐ事で視認するに充分な光量を確保できる餌入れ箱である。
【発明の効果】
【０００６】  夜間に於ける餌付けを、新たな照射を必要としないことで不必要な照射で魚を散らす心配を殆ど考慮しなくて済む状態の中で行なうことが出来る釣用餌入れ箱である。【０００７】  また、明かりに頼ることなく指先の感触のみでの不完全な餌付けで魚が釣れる時合いに投入することで、せっかくの当りに鈎掛かりしないことが多々あった問題も、視認できる事でしっかりと餌を鈎に付けられるようになった。
【発明を実施するための最良の形態】
【０００８】  以下、本発明の実施の形態を図１に基づいて説明する。【０００９】  本発明は内部仕切り付上部独立開閉型釣餌入れ箱の本体内部の仕切板上部に、突出したケミ型発光体の嵌装部を形成し、発光体としてのケミ型発光体を嵌め込む構造を本体内部に形成した餌入れ箱である。
【図面の簡単な説明】
【００１０】
【図１】本発明のケミ型発光体を嵌装部に装着しない斜視図である。
【図２】本発明のケミ型発光体を嵌装部に嵌め込んだ斜視図である。
【図１】
2014030415.tif 000003
【図２】
2014030415.tif 000004
(57)【要約】      （修正有）【課題】ごみ置き場などにカラスが荒らしに来るのを防ぐため、カラスなどの接近を防ぐ装置を提供する。【解決手段】  上からつるされた反射板設置台枠にコンパクトディスクなど光をよく反射する平面状物を取り付け、それに対してＬＥＤ懐中電灯や棒状の点滅灯等を照射することにより拡散反射光を発生させ視覚を混乱させ警戒感を与える。【選択図】図１
2014030416.tif 000002
【特許請求の範囲】
【請求項１】
スペクトル分光させるフィルム等をはり付けた板やコンパクトディスク盤など光をよく反射する板状物に対して懐中電灯、赤色誘導点滅灯など発光物を一個もしくは複数個照射して拡散反射光を発生させ、カラスなどの鳥獣を近くに寄せないようにした鳥獣忌避装置
【発明の詳細な説明】
【技術分野】
【０００１】  本発明は、カラス等鳥獣がゴミ置き場や人家等に接近するのを防ぐ装置に関するものである。
【背景技術】
【０００２】  従来よりコンパクトディスク盤等、光をよく反射する板状物を木の枝や軒先よりつるすことにより、カラス等に警戒心を抱かせ人家やごみ置き場においてそれらが接近することを防ぐことは実際よく行われている。
【発明の開示】
【発明が解決しようとする課題】
【０００３】  自然光をただ反射させるだけの装置では、反射光の強さにも限界がある。さらに日陰になっている場合や曇りの日においてはあまり役にたっていると思われない。また、反射板に関しても毎日同じものを使用していると、学習能力の高いカラスはそれに対して慣れてしまうため、早い時期に機能を果たさなくなってしまう。本発明は人工光を併用利用したりして絶えず人為的に手を加え、装置そのものに変化を与えることができるようにすることによりこれらの問題点を解決しようとするものである。
【課題を解決するための手段】
【０００４】  本発明は、上方より細いひも等によりつるされた反射板装着体にコンパクトディスク盤など光をよく反射する平面状物を取り付け、それに対して対面斜め上より照射するためのＬＥＤ懐中電灯定置台、反射板手前に赤色誘導点滅灯をはめ込める取付枠等を備え、拡散反射光を発生させるようにした装置である。
【発明の効果】
【０００５】  人工光を利用することにより、日陰の場合や曇りの時においても拡散反射光を発生させることができる。また反射板を複数種類用意し、数日ごとに交換することによりカラスに警戒感を与え続けて近寄らせないことができる。
【発明を実施するための最良の形態】
【０００６】  以下、本発明の実施の形態を図１に基づいて説明する。【０００７】  図の１は種々の光反射板を取り付ける反射板装着体であり、アーム２から細いひも状のもの３を介してつり下げられるようにする。一方、図の４はＬＥＤ懐中電灯などの発光物搭載台であり、アームの先端にて反射板に向ける形で固定装着するものとする。以上がこの装置の本体といえる部分である。【０００８】  まず１の反射板装着体には正面上方にフック６を設けコンパクトディスク盤などをぶらさげることができるようにする。さらに別の日に代替的に使用する反射体としては、スペクトル分光する種々のフィルムをはった板等を準備しておき、数日ごとに反射板挿入口７を通して取り替えられるようにする。図２にコンパクトディスク盤１２をつるした状態を示す。【０００９】  ８は赤色誘導点滅灯をはめこみ固定させる枠である。発光体についても毎回ともＬＥＤ懐中電灯を使用するだけではカラスのほうが慣れてしまうため、日によって異なるタイプの光源を使用して常に警戒感を与えるようにしている。図３に赤色誘導点滅灯１３を装備した状態を示す。【００１０】  ９は本体を近くの樹木などからつりさげたときに使用するフックであり、わずかな風なでも本体が揺れて反射光が絶えず動くようにしている。一方、設置位置についても数日ごとに変化させているのが望ましく、本装置を地面等において使用できるようにすべく本体定置脚１０、本体定置柱１１をそなえる。なお、この本体定置脚１０と本体定置柱は取り外し可能なものとする。【００１１】  以上のように反射板，光源、装置の位置などに人為的に変化をを持たせてカラスの接近の防止を図るのが本装置の特徴である。
【図面の簡単な説明】
【００１２】
【図１】本装置の斜視図である。
【図２】本装置にコンパクトディスク盤を取り付けた状態の斜視図
【図３】本装置に赤色誘導点滅灯を取り付けた状態の斜視図
【符号の説明】
【００１３】１……反射板装着体
２……アーム
３……細いひも状のもの
４……発光物搭載台
５……ＬＥＤ懐中電灯
６……コンパクトディスク盤などをつるすフック
７……反射板挿入口
８……赤色誘導点滅灯はめこみ枠
９……本体つりさげ用フック
１０…本体定置脚
１１…本体定置柱
１２…コンパクトディスク盤
１３…赤色誘導点滅灯
【図１】
2014030416.tif 000003
【図２】
2014030416.tif 000004
【図３】
2014030416.tif 000005
【手続補正書】
【提出日】平成24年10月27日(2012.10.27)
【手続補正１】
【補正対象書類名】特許請求の範囲
【補正対象項目名】請求項１
【補正方法】変更
【補正の内容】
【請求項１】
スペクトル分光させるフィルム等をはり付けた板やコンパクトディスク盤など光をよく反射する板状物に対して懐中電灯、棒状の点滅灯など発光物を一個もしくは複数個照射して拡散反射光を発生させ、カラスなどの鳥獣を近くに寄せないようにした鳥獣忌避装置
【手続補正２】
【補正対象書類名】明細書
【補正対象項目名】０００４
【補正方法】変更
【補正の内容】
【０００４】  本発明は、上方より細いひも等によりつるされた反射板装着体にコンパクトディスク盤など光をよく反射する平面状物を取り付け、それに対して対面斜め上より照射するためのＬＥＤ懐中電灯定置台、反射板手前に棒状の点滅灯をはめ込める取付枠等を備え、拡散反射光を発生させるようにした装置である。
【手続補正３】
【補正対象書類名】明細書
【補正対象項目名】０００９
【補正方法】変更
【補正の内容】
【０００９】  ８は棒状の点滅灯をはめこみ固定させる枠である。発光体についても毎回ともＬＥＤ懐中電灯を使用するだけではカラスのほうが慣れてしまうため、日によって異なるタイプの光源を使用して常に警戒感を与えるようにしている。図３に棒状の点滅灯１３を装備した状態を示す。
【手続補正４】
【補正対象書類名】明細書
【補正対象項目名】００１２
【補正方法】変更
【補正の内容】
【００１２】
【図１】本装置の斜視図である。
【図２】本装置にコンパクトディスク盤を取り付けた状態の斜視図
【図３】本装置に棒状の点滅灯を取り付けた状態の斜視図
【手続補正５】
【補正対象書類名】明細書
【補正対象項目名】００１３
【補正方法】変更
【補正の内容】
【００１３】  １……反射板装着体
２……アーム
３……細いひも状のもの
４……発光物搭載台
５……ＬＥＤ懐中電灯
６……コンパクトディスク盤などをつるすフック
７……反射板挿入口
８……棒状の点滅灯はめこみ枠
９……本体つりさげ用フック
１０…本体定置脚
１１…本体定置柱
１２…コンパクトディスク盤
１３…棒状の点滅灯
(57)【要約】【課題】  災害時に備えてある程度の長期間対応できる食品備蓄が求められている中で、賞味（消費）期限を切らさない様に大量の食品を管理できる仕組みの食品収納庫を提供する。【解決手段】食品収納庫に１２個以上の区画を設け、区画の正面に１月から１２月までの月別の表示を加える事で賞味（消費）期限となる月が一目で分かる様にし、普段の買い物の中で多少余分に買ってきた保存食品それぞれを賞味（消費）期限を見てその対象月の区画に入れて行き、災害のない日常時は賞味（消費）期限が近づいた当月中にその区画の物を普段の食事の一部として消費し、いざ災害時には少なくとも１１区画分の賞味（消費）期限の来ていない大量の食品を確保できる仕組みを備えた。【選択図】図１
2014030482.tif 000002
【特許請求の範囲】
【請求項１】
食品を収納する１２個以上の区画を設け、区画の正面に１月から１２月までの月別の表示を加える事で賞味（消費）期限となる月が一目で分かる様にした賞味（消費）期限を管理する仕組みを備えた食品収納庫。
【発明の詳細な説明】
【技術分野】
【０００１】
本発明は、保存食品の賞味（消費）期限を管理する為に月別の区画を持つ食品収納庫に関するものである。
【背景技術】
【０００２】
地震・台風などの自然災害や新型インフルエンザのパンデミック発生に備えて計画的な食料品備蓄が奨励されているが、実際には賞味（消費）期限のある大量の食品（例えば飲料水だけでも大規模地震の際に最低必要とされる３日分を標準家族４名分用意すると２リットルボトルで１８本）を数年レベルの長期に亘って管理する事は難しく、必要になった時には期限切れで口に入れる事ができないなど折角の備蓄品が使えないような事態になる可能性が高い。そこでそのような事態にならないよう先入れ先出しの管理を容易にするような家具も考案されている（例えば特許文献１参照）。
【０００３】
通常、備蓄食料品は非常持ち出し袋の様な形で長期保存できる３日間分程度対応の災害用非常食と災害直後やパンデミック時に食料品が購入できない事を想定したある程度の長期間に亘る食料品確保を目的とした備蓄食品で保管目的が異なる。
後者のある程度長期間の食料品確保を目的とした食料品を備蓄する為の備蓄庫に関しては、保管する量が多量の為、賞味（消費）期限の管理がかなり重要となる。
【０００４】
その為、家庭では食品庫やパントリーなどに保存食品を様々な工夫をしながら賞味（消費）期限内に消費しながら、ある程度の量を保管するのに苦労をしている。その工夫は例えばストック可能な食品を最初に普段の買い物の倍程度余分にしておき、半分使ったところで使った分と同じ量を買い足していくというローリングストック法などの方法が広く知られている。
【０００５】
また、例えば上述の特許文献１のものは非常食料品保管スペースを構成する引き出しの側面に、ストックしておくべき備蓄量にあわせて、引き出し方向に移動自在とされたゲージを備え、賞味期限管理シールを貼付した非常食料品を、引き出し手前側ほど、賞味期限が近いものがくるように収納し、収納した非常食料品の量が、該ゲージを目印として、ストックしておくべき備蓄量よりも少なくなったときには、引き出し奥側から非常食料品を補充するようにして、該非常食料品保管スペースに保管される非常食料品の備蓄量、及び賞味期限を容易に管理可能としたパントリーである。
【先行技術文献】
【特許文献】
【０００６】
【特許文献１】特許第４５０８０６９号公報
【発明の概要】
【発明が解決しようとする課題】
【０００７】
しかしながら、上述のローリングストック法は半分使う期間に賞味（消費）期限が間に合うように考えながら買い増ししなければならないなど、揃える食品の種類が増えると管理が大変である。
【０００８】
また、上述の特許文献１の発明品は、先入れ先出しの為には優れた管理方法ではあるが、手前の賞味期限の古い物から使用して使った分だけ奥の物を手前に移動するという手間は掛かり管理が面倒という面も否定できない。また賞味期限管理管理シールを見やすい所に貼り付けるのも手間がかかる。
【０００９】
本発明はこのような管理方法の煩雑さに着目したものであり、手間を掛けずに賞味（消費）期限を管理しながら大量の食料品を備蓄する方法を提供することを目的とする。
【課題を解決するための手段】
【００１０】
本発明は、このような目的を達成するために、次のような手段を講じたものである。すなわち本発明に係る食品収納庫に１２個以上の区画を設け、区画の正面に１月から１２月までの月別の表示を加える事で賞味（消費）期限となる月が一目で分かる様にした事を最も主要な特徴とするものである。
【発明の効果】
【００１１】
本発明の方法によれば購入してきた保存食品の賞味（消費）期限を見てその期限の切れる日の前月の区画に保管するだけである。家族の好みの物を日々の買い物の中で多少余分に意図的に買い増して行く事で徐々に１２以上に区分された食品収納庫内に備蓄されて行く。１年以上賞味（消費）期限のある物については一番先の月の区画に入れておき、その区画が当月になった時に改めて本来の区画に移せば良い。
【００１２】
災害などが発生するまでの日常時は、当月の区画内の食品を日常の食事の一部として消費して行く。その時、当月期間内には賞味（消費）期限として使い切らなければならない事がその月の区画中の食品を見る事ではっきり認識出来るので、その月内に消費する意識付けとなり得る。
【００１３】
そして、いざ災害で備蓄食品が必要となった時には少なくとも当月以外の１１区画に亘って保管された賞味（消費）期限の切れていない大量の保存食品が確保されている状態を容易に作り出すことで本来の備蓄食品としての役割を発揮する事が可能である。
【図面の簡単な説明】
【００１４】
【図１】図１は本発明の一実施形態に係る外観図である。（実施例１）
【図２】図２は本発明の一実施形態に係る外観図である。（実施例２）
【発明を実施するための形態】
【００１５】
１２以上の区画に分けて月別表示をするという目的を実現した収納家具の実施例を図１から図２を用いて示す。
【実施例１】
【００１６】
図１は、本発明の一実施形態の外観図であって（１）備蓄庫本体中に設けられた（２）１２区画以上の月別収納区画によって食品の保管状況が一目で分かる上、区画上の（３）月表示ラベルによって賞味（消費）期限の管理が容易なオープンタイプの食品収納庫の例である。
【実施例２】
【００１７】
図２は、本発明の一実施形態の外観図であって図１のタイプの扉付きであり、容易に出し入れのできる（４）扉がついているので、中に入っている食品の一覧性にはやや欠けるが食品への直射日光の影響を避けたり地震時に中味が飛び出す事を避けながら、扉の（５）月表示部により賞味（消費）期限の管理が容易にできるキャビネットタイプの食品収納庫の例である。
【符号の説明】
【００１８】
１  食品収納庫本体
２  月別収納区画  
３ 月表示ラベル  
４ 
扉
５ 月表示部
【図１】
2014030482.tif 000003
【図２】
2014030482.tif 000004
(57)【要約】【課題】  広汎に使用されているマスクは耳掛け部分があることにより生ずる種々の不都合、例えば長時間の装着により発生する耳介後部の痛みや痒み、眼鏡使用者や女性・長髪者などが装着時に憶える不便やヘアースタイルの乱れなどの課題のあるものである。【解決手段】  耳介部分に掛けて着用するのではなく、上顎の前歯２歯に装着した合成樹脂やゴム等で作られたマウスピース様の留め具と不織布製マスクを張力のある材質のゴムなどで結び保持することにより耳掛け部分を不要とする。【選択図】図２
2014030681.tif 000002
【特許請求の範囲】
【請求項１】
不織布製マスクを、合成樹脂やゴム等で作られた上顎前歯用マウスピース様の留め具とゴムなどの張力のある材質のバンドで結び保持することにより耳掛け部分を不用としたマスク
【発明の詳細な説明】
【技術分野】
【０００１】  本発明は、耳掛け部分が無くても着用出来るよう工夫されたマスクに関するものである。
【背景技術】
【０００２】
【特許文献１】特開２００１−５６６  この公知発明は鼻中隔をクリップにより挟持することで耳掛け部を無くしたもので本発明が解決しようとする手段とは異なるものである。
【特許文献２】特開２００６−２３９３８２  この公知発明はマスク周辺部に吸盤構造の吸着部を複数設けたもので本発明が解決しようとする手段とは異なるものである。
【発明が解決しようとする課題】
【０００３】  本発明の目的は、マスクに耳掛け部分があることにより生ずる種々の不都合、例えば長時間の装着より発生する耳介後部の痛みや痒み、眼鏡使用者や女性・長髪者などが装着時に憶える不便やヘアースタイルの乱れなどを回避するため耳掛け部分の無いマスクを提供することにある。
【課題を解決するための手段】
【０００４】  耳介部分に掛けて着用するのではなく、上顎前歯左１番及び右１番部分に歯科用レジンとしても用いられているアクリル樹脂、塩化ビニル樹脂、シリコン樹脂など、適当な硬度・軟度のある合成樹脂やゴム等で作られたマウスピース様の留め具を装着し、これと不織布製マスクをゴムなどの張力のある材質のバンドで結びマスクを保持することにより耳掛け部分を不要とする。
【０００５】  不織布製マスクにはその形状を維持するため、樹脂製や紙製、あるいは軟金属製等の骨組みを漉き込むか貼付する。
【０００６】  マウスピース様の留め具は、その位置を固定するため、上顎前歯左１番と右１番の歯間部に浅く挿入される山形突起部分を内側前部中央に設ける。
【０００７】  マウスピース様の留め具は、装着時に上唇へ与える違和感を軽減するため外側を薄くする。
【０００８】  マウスピース様の留め具には、上唇への抵抗を無くするとともに装着時に手指での保持部分となる湾曲したせり出し部分を設ける。
【０００９】  マウスピース用の留め具に設けた湾曲したせり出し部分の頂部と不織布製マスクの骨組み部分をゴムなどの張力のある材質のバンドで結ぶ。
【００１０】  装着の強度を調整できるようにマウスピース様の留め具のせり出し部分に斜め切り込み部分を設けバンドの長さ調整機能を持たせる。
【００１１】  マウスピース様の留め具がバンドから外れ誤飲することを防ぐため、留め具とマスクを結ぶゴムなどの張力のあるバンドはループ状にし、長さは調整出来てもマスクから外れることのないようマスクや留め具が一体化した形状とする。
【００１２】  マスクには大、中、小などのサイズがあるが、これにあわせマウスピース様の留め具も大きさの異なるものをセットしたものとする。
【００１３】  マスクの装着を容易にするためマスク外側頂部には手指で摘める不織布製の突起部分を設ける。
【図面の簡単な説明】
【図１】  本発明の耳掛け不要の不織布製マスク装着時の断面図である。
【図２】  本発明の耳掛け不要の不織布製マスクの構造図である。
【図３】  本発明の上顎前歯部分に装着するマウスピース様の留め具の構造である。
【図４】  本発明のマウスピース様の留め具をゴムなどの張力のある材質のバンドで不織布製マスクと結んだ部分の構造図である。
【符号の説明】ａ  マスク装着時に手指で摘むためのマスクと同材質の不織布製の突起部分
ｂ  マスクの形状を保持するために不織布に漉き込むか、または貼付された樹脂製、紙製、軟金属製等の骨組み部分
ｃ  マウスピース様の留め具と不織布製マスクを結ぶためのループ状のゴム製等のバンドを通すための穴部
ｄ  ゴム製等のバンドの長さを調整するためにマウスピース様の留め具に設けられた斜め切り込み部分
ｅ  マウスピース様の留め具を装着する時に手指で保持するとともに、上唇への抵抗感及びバンドの張力により僅かに上唇が開くことを防ぐために留め具の下部に設けられた湾曲したせり出し部分
ｆ  マウスピース様の留め具を上顎前歯に装着した時に上唇に与える違和感を軽減するために後部より薄く作られた留め具の前部分
ｇ  マウスピース様の留め具の位置を固定するために設けられた上顎の前歯左右１番の歯間部分に入る留め具内側の山形の突起部分
ｈ  ループ状にしたゴム製等のバンドル不織布製マスクの形状保持のための骨組み部分との結合部分
ｉ  マウスピース様の留め具がバンドから外れて誤飲することを防ぐため、長さは調整出来ても留め具が外れることのないようループ状にして骨組み部分と結合しマスクと一体化させるためのゴム製等のバンド
【図１】
2014030681.tif 000003
【図２】
2014030681.tif 000004
【図３】
2014030681.tif 000005
【図４】
2014030681.tif 000006
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
合成樹脂やゴム等で作られた上顎前歯左１番及び右１番に装着するマウスピース様留め具内側に設けられた山形突起部分を、上顎２歯（左１番及び右１番）の歯茎側の隙間（歯間部）に挿入することにより留め具を固定し、この留め具と不織布製マスクをゴム等の張力のあるバンドで結び保持することを特徴とした耳掛け部分が不要のマスク
【請求項２】
ゴム等の張力のあるバンドをループ状にして、不織布製マスクと上顎前歯用のマウスピース様留め具を一体化させることにより、留め具がマスクから外れて誤飲することの無いように、使用時の安全性を確保する機能を持たせたことを特徴とする耳掛け部分が不要のマスク
【請求項３】
上顎２歯（左１番及び右１番）に装着するマウスピース様留め具に湾曲したせり出し部分を設け、留め具装着時の上唇への抵抗を無くするとともに、留め具と不織布製マスクを結ぶバンドの長さの調整機能を持たせたことを特徴とする耳掛け部分が不要のマスク
(57)【要約】【課題】汚れたものに触れた面を被覆することで他を汚さず、ポケットなどに入れて携帯することができ、着脱が容易な摘み用指サックを提供する。【解決手段】  中央部で曲った細長い弾力性のある基板１の両端に、基板１に開けられた指穴Ａ２と指穴Ｂ４を通して基板１のいずれの側にも押し出すことができる指サックＡ３と指サックＢ５を対向して組み込むことで指への着脱を容易にするとともに、一方の指サックＡ３を他方の指サックＢ５に押し込むことで物に触れた面を互いに被覆するようにした。【選択図】図１
2014030689.tif 000002
【特許請求の範囲】
【請求項１】
中央で曲った細長い弾力性がある基板の両端に、基板に開けられた指穴を通して基板のいずれの側にも押し出すことができる指サックを対向して取り付けた構造を持つことを特徴とする触面被覆式指サック対。
【発明の詳細な説明】
【発明の詳細な説明】
【技術分野】
【０００１】汚れた物を摘んで触れた面を被覆できる携帯用の指サックに関するものである。
【背景技術】
【０００２】  従来、直接指で触れたくないものを摘むためにはゴム手袋があるがかさばるためポケットやハンドバックに入れて携帯することはできなかった。とくに、一度物体に触れた手袋の面がポケットやハンドバック内の他の物品に接触するのが欠点である。また、個々の指毎につける指サックもあるが一度物体に触れた表面に触ることなく２本の指に着脱することは困難であった。
【発明が解決しようとする課題】
【０００３】外出時の店舗や列車などの不特定多数の人が使用するトイレで、せっかく洗ったばかりの手でドアに触れざるを得ない場合も少なくない。気分的に不快なこともあるし、季節によっては衛生面からも避けることが望まれる。そこで、小型軽量で、指への着脱が容易で、かつ、物に触れた触面を被覆してポケットやハンドバッグに入れて携帯できる摘み用の道具があれば便利である。本発明はそのような道具を提供しようとするものである。
【課題を解決するための手段】
【０００４】以下、図面を使って詳細に説明する。
図１は本発明の触面被覆式指サック対の構成図であり、１は基板、２は指穴Ａ、３は指サックＡ，４は指穴Ｂ、５は指サックＢ，６はゴムバンド、７はバンド掛けである。基板１はゴムなどの弾力性のある材質で作られ、短冊をＵの字形に曲げたような形状を持つ。Ｕの字の内側にあたる側を基板１の内側、反対側を外側と呼ぶ。基板１の両端近くに指穴Ａ２と指穴Ｂ４を開け、指穴Ａ２には指サックＡ３を、指穴Ｂ４には指サックＢ５を取り付ける。指サックＡ３と指サックＢ５は柔らかい材料で作られ、指で押すことで、指穴Ａ２あるいは指穴Ｂ４を通して基板１の内側にも外側にも押し出すことができる。図１では指サックＡ３と指サックＢ５が共に基板１の内側に押し出されている。ゴムバンド６をバンド掛７に掛けると基板１の両端が接した閉じた状態を保つことができる。
図２は本発明の触面被覆式指サック対を指に装着した図であり、８は指Ａ，９は指Ｂ，１０は触面Ａ、１１は触面Ｂである。ゴムバンド６をバンド掛７から外し基板１が開いた状態で外側から指Ａ８と指Ｂ９を指サックＡ３と指サックＢ５に入れ、基板１の内側で物を摘む。指サックＡ３と指サックＢ５が基板１に組み込まれているので、個別の場合に較べ指への着脱ははるかに容易である。触面Ａ１０と触面Ｂ１１が物に触れる面となる。
図３は本発明の触面被覆式指サック対を閉じた状態を示す。ゴムバンド６をバンド掛７に掛けると物に触れた可能性がある基板１の内側先端部は接し相互に被覆される。また、指サックＢ５を指サックＡ３の中に押し込むことで触面Ａ１０と触面１１は相互に被覆し合うことになる。
【発明の実施形態】
【０００５】  本触面被覆式指サック対はゴムやプラスティックの既存の材料を用いて、既存の技術で製造できる。また基板の形も手に馴染むように丸みをつけても良い。
【発明の効果】
【０００６】使用後も携帯可能なため、自宅外などの場所でも、汚れた物に直接触れて指を汚したり不快な思いをしなくて済むようになる。
【図面の簡単な説明】
【図１】本発明の触面被覆式指サック対の構成図。
【図２】本発明の触面被覆式指サック対の装着図。
【図３】本発明の触面被覆式指サック対を閉じた状態図。
【符号の説明】１は基板、２は指穴Ａ、３は指サックＡ、４は指穴Ｂ、５は指サックＢ、６はゴムバンド、７はバンド掛、８は指Ａ、９は指Ｂ、１０は触面Ａ，１１は触面Ｂである。
【図１】
2014030689.tif 000003
【図２】
2014030689.tif 000004
【図３】
2014030689.tif 000005
(57)【要約】【課題】  ペットボトルを鋏で切れるようにするための補助刃付鋏を提供する。【解決手段】鋏のグリップに支軸を介して補助刃を取り付け、補助刃が支軸を介して半回転し、補助刃の刃先がグリップ内に収納したり、引き出したり出来ることを特徴とする補助刃付鋏。【選択図】図１
2014030688.tif 000002
【特許請求の範囲】
【請求項１】
鋏の片方のグリップに支軸を介して補助刃を取り付け、補助刃が支軸を介して半回転し、補助刃の刃先がグリップ内に収納したり、引き出したり出来るように構成したことを特徴とする補助刃付鋏。
【発明の詳細な説明】
【技術分野】
【０００１】  本発明は、ペットボトルを再利用するため、ペットボトルを切る鋏で、鋏のグリップに取り付けた補助刃で、ペットボトルに切り込みを入れ、その切り込みに鋏の刃先を差込み、ペットボトルを切る補助刃付鋏に関するものである。
【背景技術】
【０００２】  従来、ペットボトルを切るには、以下の方法があった。
（イ）細いニクロム線に電流を流し、発熱したニクロム線にペットボトルを押しつけて、ペットボトルを切る方法。
（ロ）カッターナイフで切る方法。
（ハ）カッターナイフでペットボトルに切り込みを入れ、その切り込みに鋏の刃先を差込み、ペットボトルを切る方法。
【発明の概要】
【発明が解決しようとする課題】
【０００３】  従来のペットボトルを切る方法には次のような問題点があった。
上記（イ）の熱したニクロム線で切る方法は煙が発生し、また強烈な臭いが発生して、健康上好ましくない。
上記（ロ）のカッターナイフで切る方法は、手が滑って怪我をする恐れがあり、また切り口がきれいにならない。
上記（ハ）のカッターナイフで切り込みを入れ、そこに鋏の刃先を差込み切る方法は、カッターナイフと鋏を同時に用意しなければならず煩わしかった。
本発明は、以上の問題点を解決しようとするものである。
【課題を解決するための手段】
【０００４】  上記問題点を解決するため本発明は、鋏のグリップに支軸を介して補助刃を取り付け、補助刃が支軸を介して半回転し、補助刃の刃先をグリップ内に収納したり、引き出したり出来る。
以上を特徴とする補助刃付鋏である。
【発明の効果】
【０００５】  本発明は、鋏と補助刃が一体となっているので、ペットボトルを切る際に、新たにカッターナイフを用意する煩わしさがない。
補助刃の刃先を鋏のグリップ内に収納することで、何の支障もなく普通の鋏として使用できる。
本鋏を使用することで、ペットボトルの再利用が容易となる。
【発明を実施するための形態】
【０００６】  以下、本発明の実施の形態を説明する。
鋏のグリップ（２）に支軸（４）を介して補助刃（３）を取り付ける。
この補助刃（３）は支軸（４）を支点として半回転し、補助刃（３）の刃先をグリップ（２）内に収納したり、引き出したり出来る。
本発明は、以上のような構造で、これを使用するときは、図１のように、補助刃（３）の刃先をグリップ（２）より引き出し、図３に示すように補助刃の刃先を、ペットボトル（５）の切る位置に強く押し当て、図４に示すように切り込みを入れる。
切り込み後図２に示すように、補助刃（３）の刃先をグリップ（２）内に収納し、図５に示すように補助刃で切り込みを入れた部分に、鋏の刃先を差込みペットボトルを切る。
【図面の簡単な説明】
【０００７】
【図１】本発明の斜視図
【図２】本発明の補助刃収納時の斜視図
【図３】切り込み時の斜視図
【図４】切り込み後の斜視図
【図５】ペットボトル切断時の斜視図
【符号の説明】
【０００８】  １  鋏の刃先
２  グリップ
３  補助刃
４  支軸
５  ペットボトル
【図１】
2014030688.tif 000003
【図２】
2014030688.tif 000004
【図３】
2014030688.tif 000005
【図４】
2014030688.tif 000006
【図５】
2014030688.tif 000007
(57)【要約】【課題】身飾品全般、即ち、ネックレス、ブレスレット、アンクレット、指輪、イヤリング、ピアス等の装身具において、金属や貴金属の線かチェーン、あるいは小さな部品を樹脂チューブに入れて装身具の一部、あるいは全体を作成することによって、原材料の使用率を可能な限り低減し、安価で十分な強度もあり、安全性の高い装身具を提供する。【解決手段】金属や貴金属の線、チェーン、あるいは小さな部品を透明か半透明、もしくは着色された樹脂チューブに入れて、一部か全体を作成した装身具を作る。【選択図】図１
2014030639.tif 000002
【特許請求の範囲】
【請求項１】
金属や貴金属の線、チェーン、あるいは小さな部品を、透明か半透明の樹脂チューブに入れてなる個体を、製品の一部、あるいは全体に使用してなる装身具。
【請求項２】
樹脂チューブが着色されている請求項１に記載の装身具。
【発明の詳細な説明】
【技術分野】
【０００１】
この発明は身飾品全般、即ち、ネックレス、ブレスレット、アンクレット、指輪、イヤリング、ピアス等の装身具において、原材料の使用率を可能な限り低減し、安価で十分な強度もある安全な装身具に関するものである。
【背景技術】
【０００２】
装身具は、金属で作成された部品を多数使用し、宝石などを設置して成っている。
【０００３】
そのため、装身具のデザインを複雑なものにすると、原材料の使用量が多くなり、原材料価格の高い、高額な装身具となっていた。
【０００４】
しかし、原材料価格の高い装身具は末端市場に受け入れられる可能性の低いものとなっていて、いかに原材料使用率を抑え、複雑なデザインの装身具を市場に供給することができるかが、装身具業界の課題となっている。
【先行技術文献】
【特許文献】
【０００５】
【特許文献１】登録実用新案３０６１５３３
【発明の概要】
【発明が解決しようとする課題】
【０００６】
この発明は前述した問題点を解決するものであり、身飾品全般、即ち、ネックレス、ブレスレット、アンクレット、指輪、イヤリング、ピアス等の装身具において、原材料の使用率を限りなく低減し、安価で十分な強度も得られる装身具を提供しようとするものである。
【課題を解決するための手段】
【０００７】
以上の課題を解決するため、この発明は細い金属線もしくは細いチェーンを透明な樹脂チューブに通して、装身具の一部、あるいは全体を作成する。
【０００８】
この発明は透明もしくは半透明か、多少の色が付けられた半透明の樹脂チューブの中に、金属製のワイヤーやチェーン、もしくは小さい部品を入れ、留め具や連結部品を付け、デザインされた飾りを付けて、安価な装身具を提供する。
【０００９】
この発明は透明もしくは半透明か、多少の色が付けられた半透明の樹脂チューブの中に、金属製のワイヤーやチェーン、もしくは小さい部品を入れ、留め具を付け、デザインされた飾りを付けて、樹脂チューブの強度とワイヤーの強度とで成る高強度な装身具を提供する。
【００１０】
この発明は透明もしくは半透明か、多少の色が付けられた半透明の樹脂チューブの中に、金属製のワイヤーやチェーン、もしくは小さい部品を入れ、留め具を付け、デザインされた飾りを付けて、アレルギーの心配のない装身具を提供する。
【発明の効果】
【００１１】
この発明によれば、樹脂製のチューブの中に金属製のワイヤーやチェーン、もしくは小さい部品を入れることによって、原材料使用を製造可能な限界まで低減させ、高強度で、アレルギーの心配のない装身具を提供することが可能となった。
【図面の簡単な説明】
【００１２】
【図１】透明もしくは半透明か、多少の色が付けられた樹脂チューブの中に、貴金属ワイヤーや入れ、連結部品を付け、ピアス留め具と装飾体を付けてできた、装身具の説明図である。（実施例１）
【発明を実施するための形態】
【００１３】
この発明に使用される樹脂チューブは、透明もしくは半透明や多少色の付いた樹脂などを使用し、樹脂チューブの中には貴金属や金属でできた線やチェーン、もしくは小さい部品を入れ、留め具や連結部品、デザイン飾りを付けることによって作られる。
【００１４】
樹脂によっては医療用としても広範囲に使用されていて、その安全性は極めて高いことが知られている。
【００１５】
また、樹脂は薬品などにも強く、人体の分泌物で変性することはない。
【００１６】
そして、樹脂は貴金属や金属でできた線やチェーンと比べると、非常に安価であることが知られている。
【００１７】
さらに、樹脂によっては、人体がアレルギーを引き起こすことはない。
［実施例１］
貴金属製の０．２mmの線を使用し、樹脂のチューブの中に入れてネックレスの製造をし、さまざまなテストを行った。
【００１８】
貴金属製の０．２mmの線を切断し、樹脂のチューブに通した後、先端に接続部品を付け、ピアス金具を取り付け、図１のようなピアスを製造した。
【００１９】
実施例１のピアス使用した貴金属材料は、同じようなデザインのピアスと比較して重量が軽くできた。
【００２０】
実施例１のピアスの強度調べるため、図1に示す装飾体3とピアス留め具4を固定し、引張強度測定器にネックレスの両端を引っかけ、引張強度の測定をしたところ、切断にかかる圧力は、同等のデザインの貴金属だけで製造したものと大差はなかった。
【００２１】
実施例１の透明樹脂チューブを、アレルギーの既往症があって、装身具を着けられない被験者に、約１０時間の装着試験をしたが、かゆみや発疹などのアレルギー反応は皆無だった。
【産業上の利用可能性】
【００２２】
この発明の、身飾品全般、即ち、ネックレス、ブレスレット、アンクレット、指輪、イヤリング、ピアス等の装身具は、原材料の使用率を可能な限り低減し、安価で十分な強度もあり、アレルギーの心配も不要な装身具を市場に提供できるものである。
【符号の説明】
【００２３】
１  透明樹脂チューブ
２  貴金属ワイヤー
３  装飾体
４  ピアス留め具
５  連結部品
【図１】
2014030639.tif 000003
(57)【要約】      （修正有）【課題】傾斜レールにより吊横引きドアが不安定で閉まりが悪いことを解消し、モヘア等の気密材の摩擦による閉鎖移動時の吊横引きドアの重さを解消する自動吊横引きドアを提供する。【解決手段】ゼンマイバネＥを吊横引きドアＬの上に設置し、ゼンマイバネＥが傾斜レールＡを走行する上吊車Ｂ，Ｃ間に設置される位置に吊横引きドアＬを配置し、ゼンマイバネＥのバネのロープの端を上枠にビスで取り付ける。吊横引きドアＬは、開く時は手で開き、吊横引きドアＬの開き動作でゼンマイバネＥが伸び、吊横引きドアＬを閉める時は、吊横引きドアＬを放して、傾斜レールＡの傾斜による吊横引きドアＬの自重とゼンマイバネＥの作用により、吊横引きドア戸が自動で閉まる構成とした。【選択図】図１
2014181554.tif 000002
【特許請求の範囲】
Ａ・の傾斜付きのレール横引き吊ドアにおいてＢ・上吊車とＣ・上吊車の間にＥ・のゼンマイバネをドアに設置しＥ・のゼンマイバネでバネのロープの端がＦ・の上枠ノビスに取り付けて有り吊戸を矢印の方向に開けた場合ゼンマイバネが伸び、戸を放すと傾斜による自重とゼンマイバネの作用により同時に閉まり始める、Ｄ・の制御装置で閉鎖速度の調整を行いＪ・は回転するガイドローラでドアをスムーズに作動させるハイブリッド半自動ドア
【発明の詳細な説明】
【０００１】
【背景技術】
【０００２】近年小学校等においては用心のために日中に玄関に施錠をする所が増えています、室内から外部に取り付けの需要が増えてきた
【発明の概要】
気密の良い半自動ドアのスムーズな開閉
【０００３】
【発明が解決しようとする課題】
【０００４】ドアのモヘア等を付けて気密を高くすると、戸が摩擦で重くなって自重では閉まらない場合が出てくる、
【課題が解決しょうとする手段】
【発明の効果】
【０００５】本発明はゼンマイバネを吊戸と吊車の中間部に取り付ける事により傾斜レールによる不安定な閉まりの悪い気密良いの重いドアでも確実に閉める事ができる、
【図面の簡単な説明】
【０００６】
【図１】姿図
【図２】断面図
【図３】断面拡大図を示す
【発明を実施するための形態】
【０００７】傾斜レール横引き吊戸に於ける半自動引き戸とは開ける時には手で開けるが閉める時は手を放すと自動で閉まる、Ａ・の傾斜付きのレール横引き吊ドアにおいてＢ・上吊車とＣ・上吊車の間にＥ・のゼンマイバネを戸の方に設置しＥ・のゼンマイバネでバネのロープの端がＦ・の上枠の方のビスに取り付けて有る、吊戸を矢印の方向に開けた場合ゼンマイバネが伸び、戸を放すと傾斜による自重とゼンマイバネの作用により同時に閉まり始める、Ｄ・は制御装置で閉鎖速度の調整を行う、Ｇ・は電気錠で上枠の方に固定してある、Ｈ・は電気錠の受けで戸の方に固定してあり遠隔操作により施錠解除が可能となる、      狭いＰ・の無目の中にゼンマイバネを取付ける場合、電気錠を付けるとゼンマイバネを取り付ける場所が無くなるため左右の吊り車の中間にドア側にゼンマイバネを取り付けることにより可能とした、Ｉ・は下レールの固定ガイドで戸側に付いている、Ｊ・は回転するガイドローラで戸側に付いていて戸をよりスムーズに作動させるＫ・は２重ロックで夜間等に使用する、
【符号の説明】
【０００８】Ａ・傾斜付きのレール  Ｂ・左上吊車  Ｃ・右上吊車Ｄ・制御装置（閉鎖速度の調整）  Ｅ・ゼンマイバネ  Ｆ・ビスＧ・は電気錠  Ｈ・電気錠の受けＩ・固定ガイド  Ｊ・回転するガイドローラ  Ｋ・２重ロックＬ・ドア  Ｍ・引き手  Ｎ・ガラス  Ｏ・気密材  Ｐ・無目
【図１】
2014181554.tif 000003
【図２】
2014181554.tif 000004
【図３】
2014181554.tif 000005